(57)【要約】【課題】本発明は、ブレーカ５の電子制御部への結露による水滴の接触が防止可能であるブレーカ５を提供することを目的としている。【解決手段】本発明に係るブレーカ５は、基台２内部に少なくとも電子部品設置部上側周辺に、基台外側に傾斜させた水切り溝６を設け、基台２と下カバー３の隙間から浸入した水滴は、水切り溝６を伝い、水切り溝６端部からケース４外側に排水可能であることを特徴とし、昼夜の電流値の差による結露から発生する水滴が電子部品に触れることなくケース４外部へ排出する。【選択図】図２
2008016207.tif 000002
【特許請求の範囲】
【請求項１】
カバーと基台と下カバーとを係合させて構成されるケースに、電子部品とその配線を収納して成るブレーカにおいて、前記基台内部には、前記ブレーカを壁面垂直方向に取り付けたとき、少なくとも前記電子部品設置部上側周辺に、前記基台外側に傾斜させた水切り溝を設け、前記ケースの上側から浸入した水滴は、前記水切り溝を伝い、該水切り溝端部から前記ケース外側に排水可能であることを特徴とするブレーカ。
【発明の詳細な説明】
【技術分野】
【０００１】
本発明は、カバーと基台と下カバーとを係合させて構成されるケースに、電子部品とその配線を収納して成るブレーカに関するものである。
【背景技術】
【０００２】
従来のブレーカは、基台に下カバーをねじ止めする際、ねじ穴の位置あわせができるようなリブが、基台に設けられていた。水滴は毛細管現象によって基台と下カバーの隙間から浸入する。前記リブでは、電子部品へ付着する水滴の浸入を防ぐことはできない。
【０００３】
昼夜の電線を流れる電流値の差から温度差が発生し、ブレーカが納められた分電盤内で結露する場合がある。しかしながら上記従来のブレーカでは、結露したときに発生した水滴は電線を伝ってブレーカに浸入することがあり、その場合、電子部品を劣化させたり破壊したりする虞があった。
【０００４】
そこで、電子基板の電線接続部異極間に切り込みを入れ、結露が電線接続部に接触しないようにしたものが用いられるようになった。
【０００５】
また、ブレーカを防水型の箱に収め、防水型のコネクタでブレーカへ配線し、外気からブレーカを隔絶することで空気中の水分量増加を抑え、結露の発生を防ぐ方法が考えられた。
【特許文献１】特開２００１−９３３７１号公報
【特許文献２】特開２０００−１７３３７８号公報
【０００６】
また、電子基板に貫通孔を設け、結露を逃し、誤動作を防止するという方法もある。
【特許文献３】特開平８−１９０８５０号公報
【特許文献４】特開２０００−２７６９９５号公報
【発明の開示】
【発明が解決しようとする課題】
【０００７】
しかしながら上記従来の技術によれば、防水型の箱にブレーカを収め、結露の発生を防ぐものでも、温度差よって発生する結露を完全に防止することは困難であった。
【０００８】
また、電子基板に貫通孔を設け、結露を逃す方法では電子基板に載っていない他の電子部品を保護するケースが必要となり部品点数が増えるという欠点があった。
【課題を解決するための手段】
【０００９】
本発明は、ブレーカの電子制御部への結露による水滴の接触が防止可能であるブレーカを提供することを目的とし、その構造は、基台内部には、ブレーカを壁面垂直方向に取り付けたとき、少なくとも電子部品設置部上側周辺に、基台外側に傾斜させた水切り溝を設け、ケースの上側から浸入した水滴は、水切り溝を伝い、水切り溝端部からケース外側に排水可能であることを特徴とする。
【発明の効果】
【００１０】
本発明のブレーカは、基台内部には、ブレーカを壁面垂直方向に取り付けたとき、少なくとも電子部品設置部上側周辺に、基台外側に傾斜させた水切り溝を設け、ケースの上側から浸入した水滴は、水切り溝を伝い、水切り溝端部からケース外側に排水可能であるため、ブレーカの電子制御部へ結露による水滴の接触を防止できる。また、本発明によるブレーカは部品点数も増加せず、従来発明のブレーカに比べても安価に提供することができる。また、省スペースで結露による水滴の排水構造が提供でき、基台と下カバーとの位置あわせも兼用することができる。
【発明を実施するための最良の形態】
【００１１】
本発明に係るブレーカの実施例を図１〜図５の添付図面に基いて説明する。
【００１２】
カバー１を基台２と下カバー３とを係合させてケース４を構成し、基台２に電子部品８を搭載してブレーカ５が構成される。基台２に搭載される電子部品８は、主回路の漏電を検出して信号を出力する零相変流器と、零相変流器の出力信号により漏電を検出する漏電検出回路と、漏電検出回路の出力信号により主回路を引き外す引き外し機構と、漏電検出回路に電流を供給する電源回路や漏電検出回路等の電子回路を実装したプリント基板等である。
【００１３】
ブレーカ５を壁面垂直方向に取り付けたとき、ケース４内部、上側に、電子部品８を囲むように弧状に水切り溝６を形成する。水切り溝６は基台２の外側に傾斜させて設けられる。水切り溝６の下側端部は、ケース４の側面近傍に位置する。
【００１４】
電線７を流れる電流値は昼夜で異なることがあり、その電流値の差から温度差ができ、電線に結露が発生する。電線７に発生した結露による水滴が、矢印Ａに示すように基台２と下カバー３との隙間に浸入したとき、重力と毛細管現象により、矢印Ｂのように水切り溝６に入り、水きり溝６は基台２外側に傾斜させているので、水切り溝６より内側には水滴が浸入せず、電子部品８に触れることなく、矢印Ｃに示すようにケース４外部へ排出される。
【００１５】
水切り溝６の設置位置は、図２に示すものに限定されるものではなく、図３に示すように、水切り溝９を、ケース１０内部の上側から側面部付近を通って下側まで設け、矢印Ｄにように水滴を誘導し、ケース１０の下側で排水することも可能である。
【００１６】
また、図４に示すように、ブレーカ１４を壁面垂直方向に取り付けたとき、水切り溝１１をケース１３内部の上側１１ａだけでなく、下側１１ｂにも設けることができる。水切り溝１１より内側に水滴が浸入しないように電子部品１２を囲むように設ける。下側に設けた水切り溝１１ｂの端部もケース１３の側面部に位置させる。
【００１７】
図５の場合、図４とは上下が逆となり、結露による水滴は、矢印Ｅに示すように、水切り溝１１ｂを通り、電子部品１２に触れることなくケース１３外部に矢印Ｆに方向に排出される。
【産業上の利用可能性】
【００１８】
基台側に設けられた水切り溝の対向させて、カバーには係合部を設けることで、基台とケースとを組み付けるときに、位置決めをすることもできる。
【図面の簡単な説明】
【００１９】
【図１】本発明に係るブレーカの外観を示す説明図である。（実施例１）
【図２】図１におけるブレーカの下カバーを外した状態を示す説明図である。（実施例１）
【図３】本発明に係るブレーカを示す説明図である。（実施例２）
【図４】本発明に係るブレーカを示す説明図である。（実施例３）
【図５】本発明に係るブレーカを示す説明図である。（実施例３）
【符号の説明】
【００２０】
１      カバー
２      基台
３      下カバー
４      ケース
５      ブレーカ
６      水切り溝
７      電線
８      電子部品
９      水切り溝
１０    ケース
１１ａ  水切り溝
１１ｂ  水切り溝
１２    電子部品
１３    ケース
１４    ブレーカ
【図１】
2008016207.tif 000003
【図２】
2008016207.tif 000004
【図３】
2008016207.tif 000005
【図４】
2008016207.tif 000006
【図５】
2008016207.tif 000007